(57)【要約】【課題】ＣＤＭＡモバイルをＧＳＭコアインフラストラクチャと共に使用するシステム及び方法を提供すること。【解決手段】ＣＤＭＡ移動局（ＭＳ）（２０）は、ＧＳＭ加入者エンティティモジュール（ＳＩＭ）（２４）とともに動作し、ＣＤＭＡ無線アクセスネットワーク（ＲＡＮ）（１８，２２）を用いてハイブリッドＣＤＭＡ／ＧＳＭメッセージ切換センタ（ＭＳＣ）（２８）を介することによって、ＭＳ（２０）をＧＳＭコアインフラストラクチャ（１４）とともに認証する。これによって、ＣＤＭＡ  ＲＡＮ（１８，２２）を、現存するＧＳＭコア（１４）と共に使用することが有利に容易化される。
2005528008.tif 000002
【特許請求の範囲】
【請求項１】
ＣＤＭＡ移動局であって、
ＣＤＭＡプロトコルを用いてＣＤＭＡ無線アクセスネットワークと通信するように構成された無線回路と、
移動局がＧＳＭコアインフラストラクチャを用いて自身を認証することを許可するために、ＧＳＭ加入者識別モジュールと通信するように構成された加入者回路とを備え、
これによって、ＣＤＭＡ無線アクセスネットワークをＧＳＭコアインフラストラクチャと共に使用することを容易にする移動局。
【請求項２】
請求項１に記載の移動局において、更に加入者識別モジュールを備えた移動局。
【請求項３】
請求項２に記載の移動局において、前記加入者識別モジュールが前記移動局とともに動作すると、前記移動局は、前記加入者識別モジュールから少なくとも一つの識別子を読み出す移動局。
【請求項４】
請求項３に記載の移動局において、前記識別子は、国際モバイル加入者識別である移動局。
【請求項５】
請求項４に記載の移動局において、前記国際モバイル加入者識別は、少なくとも一つのメッセージ内の移動局によって送信される移動局。
【請求項６】
請求項５に記載の移動局において、前記メッセージは、登録メッセージである移動局。
【請求項７】
請求項５に記載の移動局において、前記メッセージは、開始メッセージである移動局。
【請求項８】
請求項５に記載の移動局において、前記メッセージは、ページ応答メッセージである移動局。
【請求項９】
請求項１に記載の移動局において、前記移動局は、少なくとも一つのサービスプロバイダ名を選択的に表示する移動局。
【請求項１０】
請求項１に記載の移動局において、前記移動局は、少なくとも一つのモバイル名簿番号を選択的に表示する移動局。
【請求項１１】
請求項２に記載の移動局において、ユーザが、予め定めた検証値を前記移動局に対して入力する場合にのみ、前記移動局は、前記ユーザに対して前記移動局を使用することを許可する移動局。
【請求項１２】
請求項２に記載の移動局において、前記移動局から前記加入者識別モジュールが除去されると、前記移動局は呼出を停止させる移動局。
【請求項１３】
請求項１２に記載の移動局において、前記移動局から前記加入者識別モジュールが除去されると、前記移動局は加入者情報を削除する移動局。
【請求項１４】
請求項２に記載の移動局において、前記移動局は、定期的に前記移動局内における前記加入者識別モジュールの存在を確認し、前記加入者識別モジュールがもはや前記移動局と関連していないと判定した場合には、呼出を停止させる移動局。
【請求項１５】
請求項１に記載の移動局において、前記移動局は、ｃｄｍａ２０００原理を使う移動局。
【請求項１６】
ＣＤＭＡ無線アクセスネットワークをＧＳＭコアインフラストラクチャと共に使用することを容易にする方法であって、
加入者識別モジュールをＣＤＭＡ移動局に関連させることと、
前記加入者識別モジュールに格納された少なくとも一つの国際モバイル加入者識別を、ＣＤＭＡ無線アクセスネットワークを用いてメッセージ切換センタに送信することと、
前記国際モバイル加入者識別を用いて、ＧＳＭコアインフラストラクチャと共に前記加入者識別モジュールを認証することと、
前記認証動作に基づいて、前記加入者識別モジュールと共に前記移動局を、前記メッセージ切換センタに登録することと
を備えた方法。
【請求項１７】
請求項１６に記載の方法において、少なくとも一つのメッセージ内で前記国際モバイル加入者識別を送信することを更に備えた方法。
【請求項１８】
請求項１７に記載の方法において、前記メッセージは登録メッセージである方法。
【請求項１９】
請求項１７に記載の方法において、前記メッセージは開始メッセージである方法。
【請求項２０】
請求項１７に記載の方法において、前記メッセージはページ応答メッセージである方法。
【請求項２１】
請求項１６に記載の方法において、少なくとも一つのサービスプロバイダ名を選択的に前記移動局に表示することを備えた方法。
【請求項２２】
請求項１６に記載の方法において、少なくとも一つのモバイル名簿番号を選択的に前記移動局に表示することを備えた方法。
【請求項２３】
請求項１６に記載の方法において、ユーザが、予め定めた検証値を前記移動局に対して入力する場合にのみ、前記ユーザに対して前記移動局を使用することを許可することを備えた方法。
【請求項２４】
請求項１６に記載の方法において、前記移動局から前記加入者識別モジュールが除去されると、呼出を停止させることを備えた方法。
【請求項２５】
請求項２４に記載の方法において、前記移動局から前記加入者識別モジュールが除去されると、加入者情報を削除することを備えた方法。
【請求項２６】
請求項１６に記載の方法において、定期的に前記移動局内における前記加入者識別モジュールの存在を確認することと、前記加入者識別モジュールがもはや前記移動局と関連していないと判定された場合には、呼出を停止させることとを備えた方法。
【請求項２７】
請求項１６に記載の方法において、前記移動局はｃｄｍａ２０００原理を使用する方法。
【請求項２８】
ＣＤＭＡ無線アクセスネットワークをＧＳＭコアインフラストラクチャと共に使用することを容易にするシステムであって、
ＣＤＭＡプロトコルを用いて前記ＣＤＭＡ無線アクセスネットワークと通信し、またＧＳＭプロトコルを用いて前記ＧＳＭコアインフラストラクチャと通信するメッセージ切換センタと、
前記ＣＤＭＡ無線アクセスネットワークと通信し、前記ＧＳＭコアインフラストラクチャ内に登録を持つ少なくとも一つの移動局と、
前記ＧＳＭコアインフラストラクチャを用いて前記移動局を認証するために前記移動局と着脱可能に共に用いることが可能な少なくとも一つの加入者識別モジュールと
を備えたシステム。
【請求項２９】
請求項２８に記載のシステムにおいて、前記加入者識別モジュールが前記移動局と共に動作すると、前記移動局は、前記加入者識別モジュールから少なくとも一つの識別子を読み出すシステム。
【請求項３０】
請求項２９に記載のシステムにおいて、前記識別子は、国際モバイル加入者識別であるシステム。
【請求項３１】
請求項３０に記載のシステムにおいて、前記国際モバイル加入者識別は、少なくとも一つのメッセージ内の移動局によって送信されるシステム。
【請求項３２】
請求項３１に記載のシステムにおいて、前記メッセージは登録メッセージであるシステム。
【請求項３３】
請求項３１に記載のシステムにおいて、前記メッセージは開始メッセージであるシステム。
【請求項３４】
請求項３１に記載のシステムにおいて、前記メッセージはページ応答メッセージであるシステム。
【請求項３５】
請求項２８に記載のシステムにおいて、前記移動局は、少なくとも一つのサービスプロバイダ名を選択的に表示するシステム。
【請求項３６】
請求項２８に記載のシステムにおいて、前記移動局は、少なくとも一つのモバイル名簿番号を選択的に表示するシステム。
【請求項３７】
請求項２８に記載のシステムにおいて、ユーザが、予め定めた検証値を前記移動局に対して入力する場合にのみ、前記移動局は、前記ユーザに対して前記移動局を使用することを許可するシステム。
【請求項３８】
請求項２８に記載のシステムにおいて、前記移動局から前記加入者識別モジュールが除去されると、前記移動局は呼出を停止させるシステム。
【請求項３９】
請求項３８に記載のシステムにおいて、前記移動局から前記加入者識別モジュールが除去されると、前記移動局は加入者情報を削除するシステム。
【請求項４０】
請求項２８に記載のシステムにおいて、前記移動局は、定期的に前記移動局内における前記加入者識別モジュールの存在を確認し、前記加入者識別モジュールがもはやＭＳと関連していないと判定した場合には、呼出を停止させるシステム。
【請求項４１】
請求項２８に記載のシステムにおいて、前記移動局は、ｃｄｍａ２０００原理を使用するシステム。
【発明の詳細な説明】
【技術分野】
【０００１】
本発明は一般に無線通信システムに関し、特にＣＤＭＡ無線アクセスネットワークをＧＳＭコアネットワークと共に使用するシステムに関する。
【背景技術】
【０００２】
コード分割多元アクセス（ＣＤＭＡ）は、他の無線通信技術よりも、本来比較的大きな帯域幅容量を持つ、すなわち、周波数帯域毎のより多くの電話呼出サービスを可能にするデジタル無線技術である。更に、ＣＤＭＡの拡散スペクトル原理は本来安全な通信を提供する。ここで参考文献として組み込まれている米国出願番号４，９０１，３０７（特許文献１）は、ＣＤＭＡシステムの詳細を開示している。ＣＤＭＡシステムは、音声呼出と、音声ではないコンピュータデータとの両方の送信のために使用することができる。
【０００３】
ＣＤＭＡの利点にも関わらず、他の原理を用いる他の無線システムもまた存在する。例えば、世界多くでは、ＧＳＭが使用されている。これは、時分割多元アクセスのバージョンを使用する。
【０００４】
ＣＤＭＡ原理、あるいは他の無線原理が使用されようとも、無線通信システムは、二つの主要要素を持つものとして考えることができる。つまり、この二つの主要要素とは、公衆切換電話ネットワーク（ＰＳＴＮ）、インターネット（特にデータ呼出のために限定されたものではない）等の外部システムと通信するコアインフラストラクチャと、無線アクセスネットワーク（ＲＡＮ）とである。様々な無線技術に関連したコアインフラストラクチャは、極めて高価になりうる。それは、ハードウェアの観点のみならず、特定化されたシステム特有の呼出切り換え、加入及び参加及び呼出モニタリング、及び課金をサポートするための通信プロトコルの開発の観点からもである。その結果、ある無線システムの通信プロトコル（ＧＳＭの場合はＧＳＭプロトコル、ＣＤＭＡの場合は例えばｃｄｍａ２０００−１ｘ、ＩＳ−４１プロトコル）は、あるシステム又は別のシステムのコアインフラストラクチャにおいて、多大な費用をかけて法外な変更をすることなくしては、別のシステムのものと互換性を持つことはない。
【０００５】
上記記載から、本発明は、ＧＳＭベースのコアインフラストラクチャと共に、ＣＤＭＡベースのＲＡＮの使用を可能にすることは、付帯する利点を有するので好ましいことであることを認めている。なぜならば、ＧＳＭは世界の多くに存在するからである。本発明は更に上記に照らして、もしもＧＳＭコアインフラストラクチャの通信プロトコルの変更の必要性を除去しないのであれば、最小化することが好ましいということを認めている。
【特許文献１】米国出願番号４，９０１，３０７
【特許文献２】米国仮出願番号６０／３５０，８２９
【特許文献３】米国仮出願番号６０／３５４，０８６
【発明の開示】
【０００６】
本出願は、「Use of GSM Subscriber Identity Module (SIM) with a CDMA2000 Access Network」と題された米国仮出願番号６０／３５０，８２９（２００２年１月１７日出願）（特許文献２）と、「Use of GSM Subscriber Identity Module (SIM) with a CDMA2000 Access Network」と題された米国仮出願番号６０／３５４，０８６（２００２年２月１日出願）（特許文献３）との両方の優先権を主張する。
【０００７】
コード分割多元アクセス（ＣＤＭＡ）移動局（ＭＳ）は、ＣＤＭＡプロトコルを使ってＣＤＭＡ無線アクセスネットワーク（ＲＡＮ）と通信するように構成された無線回路を含んでいる。ＭＳは、ＧＳＭコアインフラストラクチャを用いて認証することを許可するために、ＧＳＭ加入者識別モジュール（ＳＩＭ）と通信するように構成された加入者回路を含んでいる。この構成によって、ＣＤＭＡ  ＲＡＮをＧＳＭコアインフラストラクチャと共に使用することが容易化される。
【０００８】
好適な実施例では、ＭＳは、ＳＩＭから国際移動局加入者識別（ＩＭＳＩ： International Mobile Subscriber Identity）を読み出し、このＩＭＳＩを、登録メッセージ、又は開始メッセージ、又はページ応答メッセージによって、ＣＤＭＡ  ＲＡＮを介して送信する。もし要求されるならば、ＭＳは、サービスプロバイダ名、モバイル名簿番号、及び他のＧＳＭ関連情報項目を表示することができる。
【０００９】
限定されない実施例としてＭＳは、ユーザが予め定めた検証値をＭＳに入力した場合にのみユーザにＭＳを使用することを許可する。また、好適なＭＳは、ＭＳからＳＩＭを除去すると呼出を終了させ、ＭＳからＳＩＭを除去すると加入者情報を削除する。好適には、ＳＩＭはもはやＭＳに関連していないとＭＳが判定した場合には、ＭＳは定期的にＭＳ内のＳＩＭの存在をチェックし、呼出を終了させる。ＭＳは、ｃｄｍａ２０００の原理を使用することができる。
【００１０】
別の局面では、ＣＤＭＡ  ＲＡＮをＧＳＭコアインフラストラクチャと共に使用することを容易にする方法は、ＳＩＭをＣＤＭＡ  ＭＳと共に用いることと、ＣＤＭＡ  ＲＡＮを用いて、ＳＩＭに格納された少なくとも一つのＩＭＳＩを、ＭＳＣに送信することとを含んでいる。ＩＭＳＩを使って、ＳＩＭは、ＧＳＭコアインフラストラクチャと共に認証される。この認証に基づき、ＳＩＭを持つＭＳは、ＭＳＣとともに登録される。
【００１１】
更に別の局面では、ＣＤＭＡ  ＲＡＮをＧＳＭコアインフラストラクチャとともに使用することを容易にするシステムは、ＣＤＭＡプロトコルを使ってＣＤＭＡ  ＲＡＮと通信するＭＳＣを含んでいる。このＭＳＣはまた、ＧＳＭプロトコルを用いて、ＧＳＭコアインフラストラクチャと通信する。ＭＳはＣＤＭＡ  ＲＡＮと通信し、ＧＳＭコアインフラストラクチャ内に登録を持っている。ＳＩＭは、ＧＳＭコアインフラストラクチャを用いてＭＳを認証するものであって、取り外し可能にＭＳと共に用いることが可能である。
【発明を実施するための最良の形態】
【００１２】
本発明の詳細は、その構成及び動作ともに、同一の符号が同一部位を参照している添付図面を参照することによって最も良く理解される。
【００１３】
先ず図１を参照されたい。一般に符号１０で示すような通信を容易にするシステムが示されている。この通信は、一般に符号１２で示すようなコード分割多元アクセス（ＣＤＭＡ）無線アクセスネットワーク（ＲＡＮ）と、ＧＳＭコアインフラストラクチャ１４との間の音声及びコンピュータデータ通信を含むものである。次に、ＧＳＭコアインフラストラクチャ１４は、公衆切換電話網（ＰＳＴＮ）及び／又はインターネットのようなデータネットワーク１６と通信することができる。
【００１４】
図１に示すように、ＣＤＭＡ  ＲＡＮ１２は、一つ以上の基地局（ＢＴＳ）１８と、移動局（ＭＳ）２０との間の無線通信をサポートする。当該技術で知られたＣＤＭＡ原理に従って、ＢＴＳ１８は、基地局コントローラ（ＢＳＣ）２２と通信することができる。図１に示す好適なＣＤＭＡ  ＲＡＮ１２は、ｃｄｍａ２０００を使用する。特に、ｃｄｍａＯｎｅ（ＩＳ−９５）、ｃｄｍａ２０００  １ｘ、ｃｄｍａ２０００  ３ｘ、又はｃｄｍａ２０００高データ速度（ＨＤＲ）あるいは１ｘＥＶＤＯ原理かの何れかを使用する。
【００１５】
ある限定されない実施例では、移動局２０は、京セラ、Ｓａｍｓｕｎｇ、又はコード分割多元アクセス（ＣＤＭＡ）原理と、ＣＤＭＡ  ＲＡＮ１２と通信するために無線回路２０ａと連携したＣＤＭＡ空気を介した（ＯＴＡ）通信空気インタフェースとを使用するその他の製造者によって製造されたモバイル電話である。しかしながら、本発明は、ラップトップコンピュータ、無線ハンドセット又は電話、データトランシーバ、パームデバイス、又はページング及び位置決め受信機等の他の移動局にも適応している。移動局２０は、必要であれば、車載型（車両、トラック、ボート、航空機、列車を含む）のハンドヘルド又はポータブルタイプでもありうる。しかしながら、無線通信デバイスが一般にモバイルと見なされている一方、本発明は、ある実施において「固定型」ユニットにも適用可能であることが理解されよう。また、本発明は、データモジュール、又は音声及び／又はデジタル化されたビデオ情報を含むデータ情報を送信するために使用されるモデムに適用している。更に、モデム又はモジュールを、多数の通信チャンネルを介して情報を送信するための予め定めた調整された、あるいは対応した方法で動作させるための命令が使用されうる。また無線通信デバイスは、ユーザ端末、移動局、移動ユニット、加入者ユニット、移動無線又は無線電話、無線ユニット、又はある通信システムでは単に「ユーザ」及び「モバイル」とも称される。
【００１６】
本発明に従うと、加入者識別モジュール（ＳＩＭ）２４は、ＭＳ２０内の加入者回路２０ｂと取り外し可能に適用可能である。ＳＩＭ２４は、マイクロプロセッサと、加入者回路２０ｂを使ってＭＳ２０とデータを交換するためのデータ記憶装置とを含むスマートカードである。好適な限定されないＳＩＭ２４は、以下の情報を格納する。マスターファイルレベルとして、ＳＩＭは、ＳＩＭ識別番号を格納する。
【００１７】
ＧＳＭアプリケーションファイルレベルにおいて、ＳＩＭ２４は、ユーザの言語好みと、ユーザ識別として機能するとともにユーザのサービスプロバイダ（すなわち、ＧＭＳコアインフラストラクチャ１４）を識別する国際移動局加入者識別（ＩＭＳＩ：International Mobile Subscriber Identity）と、暗号化キーとを格納する。さらに、ＳＩＭ２４は好適には、ユーザによって好まれた公衆陸移動ネットワーク（ＰＬＭＮ：Public Land Mobile Network）の認証と、選択されたＰＬＭＮのための探索周期とを格納する。また、ＳＩＭ２４は、現在及び先行する呼出のための呼出ユニットの合計数である蓄えられた呼出メータ（ＡＣＭ：accumulated call meter）の最大値と、どのサービスがユーザに割り当てられ、起動されているかを示すＳＩＭサービステーブルとを格納する。更に、ＳＩＭ２４は、ＳＩＭ／ＭＳ関係のためのＳＩＭのグループを識別する様々なグループ識別子を格納する。更に、好適なＳＩＭ２４は、サービスプロバイダ名と、ユーザによって選択された通貨による呼出のコストを計算するために使用されるユニット毎の値段／通貨テーブルとを格納する。
【００１８】
上記データに加えて、好適なＳＩＭ２４はまた、ユーザが受けたいブロードキャストチャンネルにおけるメッセージの種類を示すブロードキャストメッセージ識別子を含んでいる。また、ＳＩＭ２４は、別のＧＳＭ  ＲＡＮ特有の情報と同様に、有効な場合には、ＧＳＭ  ＲＡＮを迅速に取得する場合にＭＳを支援するためにブロードキャストコントロールチャンネル指定を含む。限定していないＳＩＭ２４はまた、ＭＳが自動的にアクセスすることを試みることのない４つまでのＰＬＭＮのリストを格納する。別の実施例において、ＳＩＭ２４は、ＭＳが自動的にアクセスすることを試みることのない８つまでのＰＬＭＮのリストを格納する。ＳＩＭ２４は更に、場所情報と、管理データと、ＳＩＭのフェーズ識別とを格納する。
【００１９】
更に、テレコムレベルでは、好適なＳＩＭ２４は、短縮ダイヤル番号／補足サービスコントロールストリング、固定ダイヤル番号／補足サービスコントロールストリング、及びＭＳによって受信されたか又はＭＳによって送信されるショートメッセージ（ＳＭＳ）を格納する。更に、好適なＳＩＭ２４は、必要なネットワーク及びベアラ能力のパラメータと、加入者に関連した移動局国際ＩＳＤＮ番号と、ＳＭＳヘッダパラメータの値とを含むことができる。ダイヤルされた最後の番号や、上記したデータの様々な内線のように、ＳＭＳに関連したステータス情報もまた格納される。
【００２０】
好適で、限定されないＳＩＭ２４は、以下の命令を実行することができる。それは入力ファイルを選択することと、例えばＳＩＭにおける現在のファイルディレクトリに関連するステータスを提供することとである。ＳＩＭ２４は、バイトとレコードのストリングを読み出し、更新する。そして、選択されたファイルにおいてユーザ定義されたパターンを探し出す。また、ＳＩＭ２４は、選択されたファイルにおける増加アクセスを実行する。
【００２１】
ＳＩＭ２４はまた、ＭＳによって表されるＣＨＶ値を確認し、新たなＣＨＶ値を割り当て、ＣＨＶ特性のイネーブル、ディセーブル、及び非ブロック化を行うことを含むカードホルダ検証（ＣＨＶ：Card Holder Verification）特性に関連する幾つかの命令を実行することができる。ＳＩＭ２４はまた、ユーザ選択されたファイルを無効にし、以前に無効にされたファイルを修復することができる。好適には、ＳＩＭ２４は、ＧＳＭコアインフラストラクチャ１４を用いて認証アルゴリズムを実行し、ＧＳＭ認証原理に従って認証暗号キーを計算する。
【００２２】
ＧＳＭコアインフラストラクチャ１４に示すように、他の構成要素の中には、ＧＳＭコアインフラストラクチャ１４は、ＧＳＭコアインフラストラクチャ１４のユーザのための加入者データを含むホーム位置レジスタ（ＨＬＲ：home location register）２６を含むか、アクセスすることができる。また、ＧＳＭコアインフラストラクチャ１４は、認証センタ（ＡＵＣ：authentication center）２７を含むか、アクセスすることができる。これらの構成要素は、ＭＳ２０をＳＩＭ２４を用いて認証するためにＣＤＭＡ／ＧＳＭモバイル切換センタ（ＭＳＣ：Mobile Switching Center）２８は、ＣＤＭＡ  ＲＡＮ１２と、ＧＳＭコアインフラストラクチャ１４とを相互接続する。必要であるならば、ＨＬＲ２６とＡＵＣ２７とは、ＭＳＣ２８に直接接続することができる。図示された好適な実施例では、ＭＳＣ２８は、ＣＤＭＡ技術で知られたＰＤＳＮ動作（データ用）と、ＡＮＳＩ−４１動作（音声用）とに従って、ＣＤＭＡプロトコルを用いてＣＤＭＡ  ＲＡＮ１２と通信する。さらに、ＭＳＣ２８は、ＧＳＭ技術で知られたＧＳＭ音声及びＧＳＭデータ（すなわち、ＳＧＳＮ）動作に従って、ＧＳＭプロトコルを用いてＧＳＭコアインフラストラクチャ１４と通信する。従って、ＣＤＭＡ  ＲＡＮ１２をＧＳＭコアインフラストラクチャ１４とともに使用することは、例えばＡＮＳＩ−４１のようなＣＤＭＡプロトコルを使用するというよりは、むしろ自身の既存のプロトコルを使用するためにＧＳＭコアインフラストラクチャ１４を変更すること無く容易化することができる。
【００２３】
図２は、ＳＩＭ２４のＭＳ２０への組み込み後のロジックを示している。ブロック３０において開始されるように、ＳＩＭ２４はリセットされ、ＳＩＭに格納された必要な動作パラメータが取り決められる。ブロック３２に進み、ＳＩＭ識別が検索され、以前のＳＩＭ識別と比較されることによって、ＭＳ２０に組み込まれたＳＩＭが以下のステップを必要とする新たなＳＩＭであるかが判定される。判定部３４では、ＣＨＶがイネーブルされたかを判定し、もしそうであれば、ユーザは、ブロック３６においてＣＨＶ値を入力するように促される。この値は、次のステップの為にＳＩＭファイルアクセスを取得するために、この値がＳＩＭによって有効であると判定されると仮定してブロック３８においてＳＩＭに手渡される。もしもこの値が有効でないならば、ロジックは終了する。
【００２４】
ブロック３８から、又はＣＨＶがイネーブルされていない場合には判定部３４から、ロジックはブロック４０に進む。ここでは、ＩＭＳＩがＳＩＭから読み出される。必要であれば、ブロック４２では、サービスプロバイダ名がＳＩＭから読み出され、ＭＳ２０上に表示される。また、もしブロック４４において要求されるならば、モバイル名簿番号がＳＩＭから読み出され、表示される。
【００２５】
何れの場合であっても、ＩＭＳＩは、ブロック４６において、ＣＤＭＡ  ＲＡＮ１２を介してＭＳＣ２８に送信される。ＭＳＣ２８は、当該技術で知られたＧＳＭ原理にしたがってＳＩＭ２４（及びＭＳ２０）の認証を始めるためにＧＳＭコアインフラストラクチャ１４にアクセスする。ＩＭＳＩは、ｒ−ｃｓｈ上において、登録メッセージ、開始メッセージ、又はページ応答メッセージで送信することができる。成功した認証は、ＭＳＣ２８と共にＳＩＭ２４（故にＭＳ２０）を登録する結果になる。これによって、ＭＳ２０は、ＣＤＭＡ  ＲＡＮ１２を使用することができる。ある実施例では、この認証は、モバイルユーザインタフェース上に情報を表示することに進む。従って、ステップ４２とステップ４４は、認証処理が成功して終了した後に起こる。
【００２６】
図３は、ＳＩＭ２４がＭＳ２０から除去された場合に続くロジックを示す。ブロック４８においてＳＩＭが除去され、ブロック５０においてＭＳ２０とＳＩＭ２４との間のリンクがＭＳ２０によって非活性化される。ブロック５２では、ＭＳ２０は、あらゆるアクティブな呼出を解放し、ブロック５４において、その内部メモリから加入者情報を削除する。
【００２７】
図４は、ＭＳ２０が、ＳＩＭ２４が連続して存在することを定期的（例えば３０秒毎）に確認することを示す。ブロック５６において始まり、ＤＯループが定期的に入力される。ここで、ＭＳ２０は、ブロック５８においてステータス命令をＳＩＭに送る。判定部６０では、ＳＩＭが応答したかをＭＳ２０が判定し、もし応答していなければ、ブロック６２においてあらゆる呼出が終了する。
【００２８】
上述したロジックに加えて、ＳＩＭ２４を備えたＭＳ２０は、ユーザに、格納されたＳＭＳを質問することを許可することができる。ＭＳ２０がＳＭＳを送信する場合、それは好適にはサービスセンタアドレスも送信する。必要であれば、上述した短縮及び固定ダイヤル番号、料金のアドバイス等のようなＧＳＭ加入者サービスもまたサポートすることができる。
【００２９】
ここで示され詳細に記載されたように、ＧＳＭコアインフラストラクチャと共にＣＤＭＡモバイルを使用する特別のシステム及び方法が本発明の上述した目的を完全に達成することができる。その一方で、それは本発明の好適な実施例であり、本発明によって広く考えられた主要な要件を表していること、本発明の範囲は、当該技術分野における熟練者には明らかである他の実施例を完全に含んでいること、そして、本発明の範囲は、単一の要素に対する参照は、明示的に述べられていなくても、一つ及び唯一を意図しているものではなく、一つ以上を意味するものを意図している請求項以外の何れによっても制限されないことが理解されよう。当該技術における通常の熟練者に対して公知または後に公知になる上記した好適な実施例の要素に対する構造的及び機能的な均等物は、ここで参考文献として明確に組み込まれており、本請求項によって含まれることを意図している。更に、デバイス又は方法は、本発明によって解決されるよう求められた各問題に対処する必要はない。というのも、それは、請求項に含まれるべきだからである。更に、本開示におけるあらゆる要素、構成要素、あるいは方法ステップは、請求項に明示的に引用されているかに関わらず公衆に対して専用であることを意図していない。もしも、この要素が「means for」フレーズを使って明確に表現されていない場合、あるいは、方法クレイムにおいてこの要素が「動作」ではなく「ステップ」として表現されていない場合には、ここで開示されている如何なる請求項要素も、３５  Ｕ．Ｓ．Ｃ  １１２条第６パラグラフの規定の下で解釈されるものではない。
【図面の簡単な説明】
【００３０】
【図１】ＣＤＭＡ無線アクセスネットワークとＧＳＭコアインフラストラクチャとを用いて通信を容易にする本システムのブロック図である。
【図２】加入者識別モジュール（ＳＩＭ）がＣＤＭＡ移動局（ＭＳ）と共に使用される場合に実施されるロジックを示すフローチャートである。
【図３】ＳＩＭがＭＳから除去された場合に実施されるロジックを示すフローチャートである。
【図４】ＳＩＭの存在をチェックするために定期的に実施されるロジックを示すフローチャートである。
【符号の説明】
【００３１】
１２…無線アクセスネットワーク、１４…ＧＳＭコアインフラストラクチャ、１６…データネットワーク、１８…基地局、２０…移動局、２０ａ…無線回路、２０ｂ…加入者回路、２２…基地局コントローラ、２４…加入者識別モジュール、２６…ホーム位置レジスタ、２７…認証センタ、２８…ＧＳＭモバイル切換センタ
【図１】
2005528008.tif 000003
【図２】
2005528008.tif 000004
【図３】
2005528008.tif 000005
【図４】
2005528008.tif 000006
【国際調査報告】
2005528008.tif 000007